(57)【要約】      （修正有）【課題】任意の開放位置で所定時間の間だけ引き戸を一時停止させることができる引き戸の閉動作抑制構造を提供する。【解決手段】戸板に沿ったガイドレール１２と、ガイド部材１４により摺動可能に支持されるユニット部材２０を有し、該ユニット部材は、ベース部材２１と、搖動部材２２と、弾性材料からなるローラ２３と、抑制部材と、付勢部材を持つ。引き戸が中立位置から開方向、又は閉方向に付勢されると、揺動部材のローラ２３が抑制部材から離間し、弾性変形が小さくなり、摩擦力も小さくなる。従って、ローラ２３がガイドレール１２の内側面に当接、転動し、引き戸を移動出来る。その後引き戸の開方向への付勢が解除されると、揺動部材２２が付勢手段により中立位置へ向かい、ローラ２３がガイドレール１２に押圧され、ローラ２３と抑制部材との摩擦力が増大し、停止する。さらに閉方向に付勢されると、弾性変形が小さくなり閉方向に移動する。【選択図】図１０
2016079746.tif 000002
【特許請求の範囲】
【請求項１】
戸枠または戸板の一方の上縁または下縁に設けられたガイドレールに沿ってガイド部材により前記ガイドレールの長手方向に摺動可能に支持される引き戸の前記戸枠または戸板の他方の上端または下端側に設けられるユニット部材を有し、
前記ユニット部材は、
ベース部材と、
前記ベース部材において、前記ガイドレールの長手方向に垂直な横方向に延設された揺動軸の周りに揺動可能に支持される揺動部材と、
前記揺動部材の自由端に回転可能に支持され、前記ガイドレールの内側面を長手方向に転動するとともに、前記揺動部材において長手方向に相対的な位置を可変であり、少なくとも周面の領域が弾性材料から成るローラと、
前記ローラの回転を常に抑制する抑制部材と、
前記揺動部材を、前記ガイドレールに向かってほぼ垂直な中立状態に付勢する付勢手段と、を有しており、
引き戸が前記中立位置から開方向、又は閉方向に付勢されるとき、前記揺動部材のローラは前記ガイドレールの内側面に当接して転動することにより、前記揺動部材において前記ガイドレールの内面側に移動して、前記抑制部材からの抵抗が減少し、前記ローラからの摩擦力に基づいて前記揺動部材が引き戸の移動方向とは反対側に向かって揺動し、
引き戸の開方向への付勢が解除されるとき、前記揺動部材が前記中立位置へと戻ることで、前記ローラが前記ガイドレールに押圧されて、前記揺動部材において前記抑制部材側へと変移し、前記ローラの転動が前記揺動部材によって抑制されることで、前記引き戸の移動が抑制される、
ことを特徴とする、引き戸の閉動作抑制構造。
【請求項２】
前記ベース部材が、前記ガイド部材に対して一体的に取り付けられている、請求項１に記載の引き戸の閉動作抑制構造。
【請求項３】
前記揺動部材が、その揺動軸と同軸の円筒面と、この円筒面に連続して引き戸開方向側及び引き戸閉方向側に形成され且つ中立位置で前記ガイドレールに対して垂直な平面から成るカム面を有しており、
前記付勢手段が、前記揺動部材のカム面の領域を、引き戸開方向及び引き戸閉方向から挟持する板バネである、請求項１または２に記載の引き戸の閉動作抑制構造。
【請求項４】
前記ベース部材が、前記揺動軸の引き戸開方向側及び引き戸閉方向側で前記揺動部材の揺動を規制するストッパを備えている、請求項１から３の何れかに記載の引き戸の閉動作抑制構造。
【請求項５】
前記抑制部材が、前記ローラの表面に当接する摩擦部材である、請求項１から４の何れかに記載の引き戸の閉動作抑制構造。
【請求項６】
前記抑制部材は、前記揺動部材と一体的に構成されている、請求項１〜５の何れか一項に記載の引き戸の閉動作抑制構造。
【発明の詳細な説明】
【技術分野】
【０００１】
本発明は、開口部に開閉可能に支持された引き戸を任意の開放位置で停止させる停止機能を備えた引き戸の閉動作抑制構造に関するものである。
【背景技術】
【０００２】
従来、住宅の各室間の出入り口等の開口部を開閉するために引き戸が使用されることがある。
このような引き戸は、例えば開口部の上縁に沿って設けられたガイドレールに沿って走行するガイド部材を含む閉動作抑制構造により支持される。引き戸は、ガイドレールに沿ってガイド部材が走行して開口部の一側または両側に向かって移動することにより、開口部を開放し、または閉鎖する。そして、引き戸の開閉時に、操作性を向上させるために、開放された引き戸を自動的に閉鎖位置まで移動させる自閉手段を備えた自閉式引き戸が知られている。
このような自閉式引き戸は、例えばゼンマイを利用したり、あるいはガイドレールを閉鎖位置側で低くなるように傾斜して設置したりすることにより、外部からエネルギーを供給することなく、引き戸の自閉を実現することができる。
【０００３】
ところで、このような自閉式引き戸においては、引き戸を開放したとき、即座に引き戸が自閉手段により閉鎖方向に移動することになるため、例えば人が引き戸を開けて開口部を通過しようとするとき、開口部を完全に通過するまでの間、引き戸を手で抑えておく必要があり、特に例えば車椅子等を使用している場合には、操作性の点で問題があった。
【０００４】
これに対して、引き戸を全開位置で停止させるようにした引き戸も既に知られている。このような一時停止機能を備えた引き戸によれば、引き戸を全開することにより、引き戸が全開位置にロックされるので、人が開口部を通過する際に、引き戸を抑えておく必要がなく、安心してゆっくりと開口部を通過することが可能になる。
しかしながら、引き戸は全開位置でのみロックされるので、開放時に引き戸をロックさせたい場合には、常に引き戸を全開位置まで開放しなければならず、操作が煩雑になると共に、閉鎖時には、引き戸を一旦閉鎖方向に操作しなければ、自閉手段による引き戸の閉鎖が開始されない、という問題があった。
【０００５】
また、特許文献１には、任意の開放位置で引き戸を停止させるようにした自閉式引き戸用ユニットが開示されている。
この自閉式引き戸用ユニットによれば、自閉手段の自閉力に抗して引き戸を開放操作して任意の開放位置で途中停止させると、自閉力が発生して途中停止位置にガイド部材が変移することにより、引き戸が途中位置に停止され、この途中停止が維持される。
【０００６】
しかしながら、特許文献１による自閉式引き戸用ユニットにおいては、途中停止した引き戸は、その途中停止がそのまま維持されることになる。従って、引き戸を閉鎖する場合には、引き戸を一旦閉鎖方向に操作して、ガイド部材を途中停止位置からずらして、引き戸が自閉手段により閉鎖方向に移動し得るようにする必要があり、操作が煩雑になってしまう。
【０００７】
これに対して、本出願人による特許文献２には、任意の開放位置での引き戸の一時停止の機能を備えた引き戸用閉動作抑制構造が開示されている。
この引き戸用閉動作抑制構造によれば、引き戸が開放されるとき、引き戸が任意の開放位置で開放側への付勢を解除されると、引き戸は、フリーローラがギヤ部材とベース部材に挟持されることによって、逆方向の抵抗力を受けて、閉方向への移動速度が低速となり、見かけ上一時停止しているように視認される。その後、フリーローラが第二の規制ローラに乗り上げて、フリーローラが自由に回転し得るようになると、上述した抵抗力が消滅して、引き戸は、第一の付勢手段の付勢力によって閉方向に高速で移動する。
【０００８】
これにより、人が引き戸を開けて開口部を通過する際に、引き戸を全開せずに任意の開放位置まで引き戸を開けると、引き戸はその任意の開放位置で実質的に一時停止し、その後第一の付勢手段により自動的に閉鎖する。従って、引き戸を任意の開放位置まで開放した後、実質的に所定時間の間だけ引き戸が任意の開放位置で一時停止しているので、引き戸を任意の開放位置に手で抑えておく必要がなく、容易に開口部を通過することができると共に、その後引き戸が自動的に閉鎖位置まで移動するので、引き戸の開閉操作が容易に行なわれ得ることになる。
【先行技術文献】
【特許文献】
【０００９】
【特許文献１】特開２００５−０５４４８３号
【特許文献２】特願２０１２−２５３７６７号
【発明の概要】
【発明が解決しようとする課題】
【００１０】
しかしながら、特許文献２による引き戸用閉動作抑制構造においては、引き戸の停止のために、ギヤ部材の周面に当接するベース部材，フリーローラ，第一及び第二の規制ローラと第二の付勢部材が設けられており、部品点数が多くなると共に、これらの相互の位置関係に精度が必要であることから、各部品の工作精度や相互の位置決め精度を高くする必要がある。このため、各部品の製造コストが高くなると共に、組立に時間がかかってしまう。
【００１１】
本発明は、以上の点に鑑み、簡単な構成により、部品コスト及び組立コストを低く抑えることが可能で、任意の開放位置で引き戸を停止させることができるようにした引き戸の閉動作抑制機構を提供することを目的としている。
【課題を解決するための手段】
【００１２】
上記目的は、本発明の構成によれば、戸枠または戸板の一方の上縁または下縁に設けられたガイドレールに沿ってガイド部材により前記ガイドレールの長手方向に摺動可能に支持される引き戸の前記戸枠または戸板の他方の上端または下端側に設けられるユニット部材を有し、前記ユニット部材は、ベース部材と、前記ベース部材において、前記ガイドレールの長手方向に垂直な横方向に延設された揺動軸の周りに揺動可能に支持される揺動部材と、前記揺動部材の自由端に回転可能に支持され、前記ガイドレールの内側面を長手方向に転動するとともに、前記揺動部材において長手方向に相対的な位置を可変であり、少なくとも周面の領域が弾性材料から成るローラと、前記ローラの回転を常に抑制する抑制部材と、前記揺動部材を、前記ガイドレールに向かってほぼ垂直な中立状態に付勢する付勢手段と、を有しており、引き戸が前記中立位置から開方向、又は閉方向に付勢されるとき、前記揺動部材のローラは前記ガイドレールの内側面に当接して転動することにより、前記揺動部材において前記ガイドレールの内面側に移動して、前記抑制部材からの抵抗が減少し、前記ローラからの摩擦力に基づいて前記揺動部材が引き戸の移動方向とは反対側に向かって揺動し、引き戸の開方向への付勢が解除されるとき、前記揺動部材が前記中立位置へと戻ることで、前記ローラが前記ガイドレールに押圧されて、前記揺動部材において前記抑制部材側へと変移し、前記ローラの転動が前記揺動部材によって抑制されることで、前記引き戸の移動が抑制されるようにすることを特徴とする、引き戸の閉動作抑制構造により、達成される。
【００１３】
上記構成によれば、引き戸の戸板は、戸枠に対して、その上部または下部において、ガイド部材がガイドレールに係合することにより、開閉可能に吊り下げられており、引き戸は、自動的に閉鎖位置に移動して停止し、開口部が自動的に閉鎖される。
ここで、引き戸を開放しようと、人が引き戸を開方向に付勢すると、引き戸の開方向への移動に伴って、ローラがガイドレールの内側面を転動し、揺動部材の自由端が相対的に引き戸閉方向に揺動する。このとき、ローラは、その回転が抑制部材により抑制されるが、その抑制力は引き戸を開放するための力と比較して小さく、従来の引き戸開放の際に必要な力とほぼ同等の力で引き戸を開放することができる。
そして、揺動部材が中立位置を越えて引き戸閉方向に移動すると、ローラが抑制部材から離間する方向へと動くため、ローラの弾性変形が小さくなり、ローラと抑制部材との間の摩擦力が小さくなる。従って、ローラがガイドレールの内側面を転動することになり、引き戸を容易に開方向に移動することができる。
【００１４】
その後、任意の開放位置で、引き戸の開方向への付勢が解除されると、引き戸閉方向側に揺動している揺動部材が、付勢手段により中立位置に向かって、即ち引き戸開方向に揺動する。これにより、ローラがガイドレールの内側面から抑制部材側へと押圧され、ローラと抑制部材との摩擦力が増大することでローラの回転が抑制されるので、引き戸が停止する。
そして、中立状態から引き戸が閉方向に付勢されて、揺動部材がさらに中立位置を越えて引き戸開方向に揺動すると、揺動部材の揺動に伴って、ローラの抑制部材への押圧が弱まり弾性変形が小さくなる。これにより、ローラがガイドレールの内側面上を転動することになり、引き戸が閉方向に移動可能となる。
【００１５】
このようにして、引き戸が開放されるとき、引き戸が任意の開放位置で、開放側への付勢を解除されると、引き戸はローラと抑制部材との間の摩擦力が増大することにより、引き戸が停止する。
その後、揺動部材が中立位置を越えて揺動すると、ローラと抑制部材との間の摩擦力が小さくなって、ローラがガイドレールの内側面上を転動することになり、引き戸は閉方向に移動可能となる。
これにより、人が引き戸を開けて開口部を通過する際に、引き戸を全開せずに任意の開放位置まで引き戸を開けると、引き戸はその任意の開放位置で停止する。従って、引き戸を任意の開放位置まで開放した後、実質的に引き戸が任意の開放位置で停止しているので、引き戸を任意の開放位置に手で抑えておく必要がなく、容易に開口部を通過することができることとなる。
【００１６】
本発明による引き戸の閉動作抑制構造は、好ましくは、ベース部材が、引き戸に設けられたガイド部材に対して一体的に取り付けられている。
この構成によれば、ガイド部材を引き戸に取り付けることによって、同時に閉動作抑制構造も引き戸に取り付けることができるので、本閉動作抑制構造の引き戸への組み付けが容易に且つ短時間で行なわれ得る。
【００１７】
本発明による引き戸の閉動作抑制構造は、好ましくは、揺動部材が、その揺動軸と同軸の円筒面と、この円筒面に連続して引き戸開方向側及び引き戸閉方向側に形成され且つ中立位置でガイドレールに対して垂直な平面から成るカム面を有しており、付勢手段が、揺動部材のカム面の領域を、引き戸開方向及び引き戸閉方向から挟持する板バネであるである。
この構成によれば、付勢手段が揺動部材のカム面を弾性的に挟持することにより、その垂直な平面の形状に基づいて、揺動部材が中立位置から何れかの側に揺動している状態では、常に中立位置に向かって付勢される。
【００１８】
本発明による引き戸の閉動作抑制構造は、好ましくは、ベース部材が、揺動軸の引き戸開方向側及び引き戸閉方向側で揺動部材の揺動を規制するストッパを備えている。
この構成によれば、引き戸の開放及び閉鎖動作の際に、揺動部材がストッパに当接することによって、揺動部材の揺動範囲が規制される。
【００１９】
本発明による引き戸の閉動作抑制構造は、好ましくは、抑制部材が、ローラの表面に当接する摩擦部材である。
この構成によれば、 ローラが抑制部材と接触することにより、ローラと抑制部材との間の摩擦によって、ローラの回転が抑制される。また、抑制部材が、揺動部材と一体的に構成できるようにすれば、構造をさらに簡易化することができ、組み付け精度を向上させることができるようになる。
【００２０】
このようにして、本発明によれば、簡単な構成により、任意の閉鎖位置で引き戸を停止させることができるようにした引き戸の閉動作抑制構造を提供することができる。
【図面の簡単な説明】
【００２１】
【図１】本発明による引き戸の閉動作抑制構造の一実施形態を組み込んだ自閉式引き戸の全体構成を示す概略正面図である。
【図２】図１の引き戸に組み込まれた引き戸の閉動作抑制構造の構成を示す正面図である。
【図３】図２の引き戸の閉動作抑制構造の平面図である。
【図４】図２の引き戸の閉動作抑制構造の引き戸閉鎖時における正面図である。
【図５】図２の引き戸の閉動作抑制構造の右側面図である。
【図６】図２の引き戸の閉動作抑制構造におけるユニット部材の左上方向から見た分解斜視図である。
【図７】図２の引き戸の閉動作抑制構造におけるユニット部材の右下方向から見た分解斜視図である。
【図８】図２の引き戸の閉動作抑制構造における揺動部材の一番手前の延長部を省略した拡大斜視図である。
【図９】図２の引き戸の閉動作抑制構造における要部を示す（Ａ）中立位置及び（Ｂ）閉鎖時の状態を示す部分拡大断面図である。
【図１０】図２の引き戸の閉動作抑制構造の一時停止機能作動時の動作を順次に示す断面図である。
【発明を実施するための形態】
【００２２】
図１は、本発明による引き戸の閉動作抑制構造の一実施形態を引き戸に組み込んだ状態を示している。
図１において、引き戸の閉動作抑制構造１０は、建物等に設けられた開口部の戸枠１１の上縁に設けられたガイドレール１２に沿って長手方向（Ｘ方向）に移動可能に支持された引き戸（戸板）１３の上縁に配置されたユニット部材２０により、構成されている。
ここで、引き戸１３は、その上縁両端付近に取り付けられたガイド部材１４，１４がガイドレール１２に沿って走行することにより、ガイドレール１２に沿って長手方向に移動する。
【００２３】
ここで、ガイドレール１２は、図２，図３及び図５に示すように、断面が中空の四角形として例えば長尺のアルミニウム材から構成されており、Ｚ方向下方が開放していると共に、図５に示すように、長手方向に垂直な横方向（Ｙ方向）の両側の下縁が内側に折り返されることにより、その先端が上方を向いたレール部１２ａを形成している。
【００２４】
ガイド部材１４は、公知の構成であって、図２〜図４に示すように、引き戸１３の上縁両端付近にて引き戸１３の上縁に設けられた凹陥部１３ａ内に取り付けられる本体１４ａと、本体１４ａの上端から軸部１４ｂを介して上方に連結される支持部１４ｃに回転可能にＸ方向に隔置して取り付けられる二対の車輪１４ｄと、から構成されている。
【００２５】
支持部１４ｃは、軸部１４ｂの上端からＸ方向両側に向かって延びており、一側（図示の場合、右側）に突出部１４ｅを備えている。
【００２６】
車輪１４ｄは、図２及び図３に示すように、支持部１４ｃのＸ方向両側に延設された領域のＹ方向両側に配置されている。
車輪１４ｄの回転軸は、ガイドレール１２内の両側に延びるように、支持部１４ｃをＹ方向に貫通して配置されており、車輪１４ｄが、それぞれガイドレール１２内で対応するレール部１２ａに乗ることにより、引き戸１３の開閉に伴ってレール部１２ａ上を転動する。
【００２７】
ユニット部材２０は、図１に示すように、引き戸１３の上端に取り付けられる二つのガイド部材１４のうち、一方（図１にて左方）のガイド部材１４の支持部１４ｃの一端（図示の場合、右端）に一体的に取り付けられている。
【００２８】
ユニット部材２０は、図２〜図７に示すように、ベース材２１，揺動部材２２，一対のローラ２３，抑制部材２４及び付勢手段としての付勢部材２５を有している。
【００２９】
ベース部材２１は、引き戸開放側、即ち図２にて左側に、凹陥部２１ａを備えており、この凹陥部２１ａがガイド部材１４の支持部１４ｃの右端に設けられた突出部１４ｅに係合することにより、支持部１４ｃに対して一体的に取り付けられ、固定ネジ２１ｂにより固定保持される。
【００３０】
ベース部材２１は、引き戸閉鎖側、即ち図２にて右側に、底部及び長手方向両側に位置する両側壁を有しており、これら両側壁に設けられた軸受部２１ｃにより揺動部材２２の揺動軸２２ａ（後述）を上下方向に摺動可能に且つ揺動可能に支持する。
ここで、軸受部２１ｃは、上方が開放しており、これにより揺動部材２２の揺動軸が、軸受部２１ｃ内で上下方向に摺動可能に支持されている。
【００３１】
揺動部材２２は、図６〜図８に示すように、揺動軸２２ａと、揺動軸２２ａの両端付近からそれぞれ半径方向に延びる二対の延長部２６ａ，２６ｂ，２６ｃ，２６ｄと、から構成されている。
揺動部材２２は、延長部２６ｂ，２６ｃの間の中央の領域で、揺動軸２２ａと同軸の円筒面２２ｃと、この円筒面に連続する平面２２ｄと、から成るカム面２２ｂを備えている。
このカム面２２ｂは、揺動部材２２が中立位置（図２に示す位置）にあるとき、平面２２ｄが、揺動軸２２ａのＸ方向両側でほぼ垂直に位置するように画成されている。
【００３２】
さらに、揺動部材２２は、その延長部２６ａ及び２６ｂの間の領域、そして延長部２６ｃ及び２６ｄの間の領域で、揺動軸２２ａの周面に、摩擦係数の大きい摩擦面を有している。
この摩擦面は、後述するローラ２３の回転を抑制する抑制部材２４として機能し、例えば揺動軸２２ａの周面を表面加工し、あるいは表面に摩擦係数の大きい材料から成る皮膜を形成することにより、構成されている。
【００３３】
ここで、揺動部材２２の中立位置から両側への揺動を規制するために、ベース部材２１の両側面には、それぞれストッパ２１ｄ，２１ｅが設けられている。
これにより、揺動部材２２は、図２にて時計回りに揺動したとき、その延長部２６ｂ，２６ｃがストッパ２１ｄに当接することにより、時計回りの揺動が規制されると共に、反時計回りに揺動したとき、その延長部２６ｂ，２６ｃがストッパ２１ｅに当接することにより、反時計回りの揺動が規制される。
【００３４】
一対のローラ２３は、揺動部材２２の延長部２６ａ〜２６ｄのうち、延長部２６ａ及び２６ｂの間、そして延長部２６ｃ及び２６ｄの間にそれぞれ樹脂製ワッシャ２６ｅを介して配置されており、それぞれ延長部２６ａ，２６ｄの先端に設けられた軸孔に挿通されるローラ軸２３ａと、延長部２６ｃ，２６ｄの先端に設けられた軸孔に挿通されるローラ軸２３ｂにより、回転可能に支持されている。軸穴は、ローラ軸２３ａが摺動できる余裕が揺動部材２２の長手方向にあり、ローラ軸２３ａは軸穴内を抑制部材２４側、又はガイドレール１２側の方向に変移可能となっている。
【００３５】
各ローラ２３は、それぞれ少なくともその周囲の領域が弾性材料、例えばポリウレタン樹脂から構成されている。
各ローラ２３は、その周面が、それぞれ揺動部材２２の揺動軸２２ａの両端付近に設けられた抑制部材２４の表面に常に接触していることにより、各ローラ２３の周面と抑制部材２４の表面との間に発生する摩擦に基づいて、各ローラ２３の回転が抑制されるようになっている。
【００３６】
付勢部材２５は、一対の板バネ２５ａ及び２５ｂと、バネホルダー２５ｃと、から構成されている。
板バネ２５ａ及び２５ｂは、図２に示すように、それぞれＬ字形に折曲加工されて形成されており、その下方に延びる垂直部分が揺動部材２２のカム面２２ｂをＸ方向両側から挟持するように配置されている。また、板バネ２５ａ，２５ｂの垂直部分の上端からそれぞれ反対側に延びる水平部分が、バネホルダー２５ｃによりベース部材２１の上側の取付部分に対して保持されている。バネホルダー２５ｃは取付ネジ２５ｄによりベース部材２１に対して固定される。
【００３７】
各板バネ２５ａ及び２５ｂの垂直部分は、図２及び図９（Ａ）に示すように、カム面２２ｂの中立位置における平面２２ｄのＸ方向の幅と同じ間隔に配置されている。
これにより、引き戸１３の開閉に伴って揺動部材２２が中立位置から何れかの側に揺動すると、例えば図９（Ｂ）に示すように、引き戸１３が閉鎖方向に移動すると、揺動部材２２が反時計回りに揺動して、カム面２２ｂが揺動軸２２ａと一体に回動して、平面２２ｅが傾斜し、各板バネ２５ａ，２５ｂが互いに離反するように弾性変形する。
従って、この弾性変形による復元力によって、カム面２２ｂの平面２２ｄを押圧し、揺動部材２２を中立位置に復帰させるように作用する。
【００３８】
これにより、揺動部材２２は、常に中立位置に向かって付勢されると共に、揺動部材２２の先端に枢支された各ローラ２３は、ガイドレール１２の内側の上面から抑制部材２４に向けて押圧されることになる。
即ち、揺動部材２２が一側の規制位置から中立位置に向かって揺動するとき、ローラ２３がガイドレール１２の内側の上面から押圧されるため、ローラ軸２３ａが揺動部材２２側へと接近し、これにより、ローラ２３は、より圧縮されながら中立位置で、最大の弾性変形量となる。すなわち、この状態において、最も抑制部材２４と、ローラ２３とが密着した状態となっているため、摩擦力が最大となり、揺動部材２２の揺動が抑制されて停止状態となる。そして、引き戸がさらに移動されるにともなって、中立位置を越えて揺動部材２２が他側の規制位置に向かって移動するとき、ローラ２３は、徐々に圧縮量が低減して、他側の規制位置に向かって移動可能となる。
【００３９】
本発明による引き戸の閉動作抑制構造１０は、以上のように構成されており、以下のように動作する。
まず、引き戸１３が任意位置まで開放される場合には、引き戸１３の開放動作により、揺動部材２２のローラ２３とガイドレール１２の内側上面との間の摩擦により、ローラ２３が反時計回りに転動しつつ、揺動部材２２が時計回りに揺動する。
この揺動部材２２の揺動に伴って、揺動軸２２ａも時計回りに回転し、そのカム面２２ｂの平面２２ｄが傾斜することによって、付勢部材２５の板バネ２５ａ，２５ｂが互いに離反する方向に弾性変形する。
このとき、ローラ２３は、その回転が抑制部材２４との間の摩擦によって抑制されるが、抑制部材２４による抑制力、即ち摩擦力は、引き戸１３を開放する力と比較して小さいので、引き戸１３の開放が妨げられることはない。
そして、揺動部材２２が中立位置を越えて揺動すると、ローラ２３は、ガイドレール１２の内面上面から受ける力によって、揺動部材２２側から離間することで、ローラ２３の弾性変形が小さくなり、ローラ２３と抑制部材２４との間の摩擦力が小さくなるので、引き戸がより容易に開方向に移動する。
【００４０】
さらに引き戸１３が開放されると、図１０（Ａ）に示すように、揺動部材２２の延長部２６ｃ，２６ｄがストッパ２１ｄに当接することにより、揺動部材２２の時計回りの揺動が規制される。従って、ローラ２３は、ガイドレール１２の内側上面を転動して、引き戸１３が容易に開方向に移動する。
【００４１】
このようにして引き戸１３が開放された後、操作者が引き戸１３の開方向への移動を停止して手を離すと、引き戸１３は、自動的に閉方向に移動しようとするが、その際、揺動部材２２が付勢部材２５の板バネロース２５ａ，２５ｂの復元力によってカム面２２ｂの平面２２ｄが押圧されることにより中立位置に向かって揺動する。
これにより、図１０（Ｂ）に示すように、ローラ２３のローラ軸２３ａが揺動部材２２に向かって接近し、ローラ２３がより圧縮されることになるので、ローラ２３と抑制部材２４との間の摩擦力がより増大し、ローラ２３の回転が抑制部材２４により抑制されることと相まって、ガイドレール１２の内側上面上でのローラ２３の回転が減速されることになる。  
【００４２】
さらに、揺動部材２２が反時計回りに揺動して、図１０（Ｃ）に示す中立位置に達すると、ローラ２３が揺動部材２２側へと変移して、上述したローラ２３の圧縮変形による抑制部材２４との間に発生する摩擦力が最大となり、揺動部材２２の揺動が停止される。これにより、引き戸１３の閉動作が妨げられ停止する。
この状態から、引き戸１３が閉方向へと付勢される操作が行われると、ローラ２３と抑制部材２４との摩擦による停止状態が解除され、この中立位置を越えて揺動部材２２が反時計回りに揺動し、図１０（Ｄ）に示すように、揺動部材２２の揺動に伴って、ローラ２３のローラ軸２３ａが抑制部材２４から離れる。そして、ローラ２３の圧縮による弾性変形量が小さくなり、ローラ２３と抑制部材２４との間の摩擦力も小さくなる。
これにより、揺動部材２２は揺動して、揺動部材２２の延長部２６ｃ，２６ｄがストッパ２１ｅに当接することにより、揺動部材２２の反時計回りの揺動が規制される。
このとき、ローラ２３の圧縮による弾性変形は最小となり、ローラ２３と抑制部材２４との間の摩擦力も最小となる。
【００４３】
このようにして、引き戸１３が開放停止されたとき、揺動部材２２が中立位置へと付勢されて戻ることでローラ２３が圧縮され、ローラ２３と抑制部材２４との間の摩擦が増大して、揺動部材２２の揺動が減速されることにより、引き戸１３は、開放停止位置で停止することとなる。
【００４４】
従って、操作者は、引き戸１３を全開せずに、引き戸１３を任意の途中開放位置まで開放して、引き戸１３から手を離しても、引き戸１３は、その途中の開放位置で停止するので、操作者は、引き戸１３を押さえることなく、両手を自由に使用しながら引き戸１３が設置された開口部をゆっくりと通過することができる。
【００４５】
ここで、戸枠１１が設置される開口部の建付精度によっては、引き戸１３を戸枠１１に取り付けた場合に、引き戸１３の上縁と戸枠１１の下縁との間の間隙あるいはガイドレール１２の取付位置が変動することがある。
前述したように、ユニット部材２０を構成するベース部材２１が、引き戸１３の上端に取り付けられるガイド部材１４の支持部１４ｃに一体的に取り付けられるので、ガイドレール１２のレール部１２ａに対して、ガイド部材１４の車輪１４ｄが乗ることにより、ユニット部材２０全体が、ガイドレール１２に対して正確に位置決めされることになり、ガイドレール１２に対する取付調整が不要である。さらには、抑制部材２４が揺動部材２２と一体的に構成されていることから、これらの取り付け精度も要求されず、ローラ２３と抑制部材２４との間の摩擦力によって、引き戸２３の一時停止を実現することができるようになる。
【００４６】
本発明はその趣旨を逸脱しない範囲において様々な形態で実施することができる。
例えば、上述した実施形態においては、付勢部材２５は、付勢力を発生させる付勢手段として、板バネ２５ａ，２５ｂを備えているが、これに限らず、他の付勢手段であってもよい。
【００４７】
上述した実施形態においては、抑制手段としての抑制部材２４は、ローラ２３の周面に当接するように揺動手段２２の揺動軸２２ａに設けられた摩擦面として構成されているが、これに限らず、ローラ２３の表面に当接する摩擦部材や、ローラ軸の回転を抑制する抑制手段であってもよい。
【００４８】
また、上述した実施形態においては、戸枠１１の上縁にガイドレールが取り付けられて、引き戸１３の上端にガイド部材及びユニット部材が取り付けられているが、これに限らず、戸枠１１の下縁にガイドレールが取り付けられて、引き戸１３の下端にガイド部材及びユニット部材が取り付けられていてもよい。
【００４９】
さらに、上述した実施形態においては、戸枠側にガイドレールが取り付けられ、引き戸側にガイド部材及びユニット部材が取り付けられているが、これに限らず、引き戸側にガイドレールが取り付けられ、戸枠側にガイド部材及びユニット部材が取り付けられていてもよい。
【００５０】
以上述べたように、本発明によれば、簡単な構成により、任意の開放位置で引き戸を停止させることができるようにした、極めて優れた引き戸の閉動作抑制構造が提供される。
【符号の説明】
【００５１】
１０    引き戸の閉動作抑制構造
１１    戸枠
１２    ガイドレール
１３    引き戸（戸板）
１４    ガイド部材
２０    ユニット部材
２１    ベース部材
２１ｄ，２１ｅ  ストッパ
２２    揺動部材
２２ａ  揺動軸
２２ｂ  カム面
２２ｃ  円筒面
２２ｄ  平面
２３    ローラ
２３ａ  ローラ軸
２４    抑制部材
２５    付勢部材
２５ａ，２５ｂ  板バネ
【図１】
2016079746.tif 000003
【図２】
2016079746.tif 000004
【図３】
2016079746.tif 000005
【図４】
2016079746.tif 000006
【図５】
2016079746.tif 000007
【図６】
2016079746.tif 000008
【図７】
2016079746.tif 000009
【図８】
2016079746.tif 000010
【図９】
2016079746.tif 000011
【図１０】
2016079746.tif 000012